(57)【特許請求の範囲】
【請求項１】
キャリア・アグリゲーション（ＣＡ）伝送に基づいたワイヤレス通信ネットワーク内のｅＮＢにおいて、ＵＥによって実行されるランダムアクセスを制御する方法であって、
Ａ．該ＵＥが、Ｐセル及びＳセルを含むすべてのセルでＵＬ同期していないかどうかを判定するステップと、
Ｂ．該ＵＥがすべてのセルでＵＬ同期していない場合に、物理ダウンリンク制御チャネル（ＰＤＣＣＨ）指示シグナリングを送信するステップとを含み、該ＰＤＣＣＨ指示シグナリングが該ＵＥにランダムアクセスを実行するよう指示するために使用される、方法。
【請求項２】
請求項１に記載の方法において、
該ステップＡが、
各セルにおける該ＵＥのタイミング・アドバンス（ＴＡ）値及び対応するタイム・アドバンス・タイマー（ＴＡＴ）の作動状態に従って、該ＵＥがすべてのセルでＵＬ同期していないかどうかを判定するステップを含む、方法。
【発明の詳細な説明】
【技術分野】
【０００１】
本発明は、キャリア・アグリゲーション（ＣＡ）伝送に基づいたワイヤレス通信に関し、より詳細には、ＵＥによって実行されるランダムアクセスのための方法、およびｅＮＢにおいてＵＥにランダムアクセスを実行するよう指示するための方法に関する。
【背景技術】
【０００２】
ＵＥは、そのＵＬ伝送時間を同期させるときにのみ、ＵＬフィードバックを適正に行うことができる。したがって、ＵＥは、ｅＮＢからＤＬデータを受信するためにＵＬ同期を設定しなければならない。別の状況では、ＵＥは、ｅＮＢにＵＬデータを伝送したい場合に、ｅＮＢとのＵＬ同期を設定すべきである。
【０００３】
ＲＡＮ５１では、非並置サイト（たとえば、リモート無線ヘッド、ＲＲＨ）、および周波数中継器のシナリオの場合に、ＵＬ  ＣＡのための複数のタイミング調整／タイミング・アドバンスについての実現性をサポートすることが合意された。異なるＵＬ時間に従って、ｅＮＢとＵＥとの間のいくつかのキャリア上でシグナリングおよびデータを伝送することがサポートされており、ＵＥが最初にアクセスに成功したコンポーネント・キャリアがＰセル（一次セル）と呼ばれ、それ以外のコンポーネント・キャリアはＳセル（二次セル）と呼ばれる。当然ながら、ＵＥは、ｅＮＢのトリガに従い、それに応じてＰセルおよびＳセルの選択を変更することができる。タイミング調整、たとえば、（ＵＬ時間に適応する）ＵＬタイミング調整では、時間遅延を相殺するために、タイマー・アドバンスがＵＥで使用される。
【０００４】
３ＧＰＰ（第３世代パートナーシップ・プログラム）のＲ１０では、ＵＥは、（ＰＲＡＣＨ（物理ランダムアクセス・チャネル）を介して）Ｐセルでのみランダムアクセスを実行することができる。すべてのＳセルは、Ｐセルと１つのＴＡ値（タイミング・アドバンス値）を共有するので、ＵＥのＰセルのためのＵＬ同期が外れたとき、すべてのＵＥのセルのためのＵＬ同期が外れる。したがって、たとえば、ＤＬデータは到着しているもののＰセルのためのＵＬ同期が外れたとき、ＰＤＣＣＨ（物理ダウンリンク制御チャネル）指示シグナリングが、ＰセルについてのみｅＮＢによって送信される。ＰＤＣＣＨ指示シグナリングは、ランダムアクセス・プリアンブルとして知られる専用のプリアンブルを含み、このプリアンブルは、ＵＥに、コンテンション・フリーのランダムアクセスを実行するよう指示するために使用される。次に、ｅＮＢからＰＤＣＣＨ指示を受信した後に、ＵＥは、Ｐセルでランダムアクセスを実行して、ＵＬ同期を再開することになる。Ｐセルでのランダムアクセスが失敗した場合、ＵＥは、ＲＲＣ（無線リソース制御）再接続手順をトリガすることになる。
【０００５】
３ＧＰＰのＲ１１では、複数のＴＡがサポートされており、ＵＥのＰセルでのＴＡ値は、ＳセルでのＴＡ値と異なっていてもよい。したがって、ＵＥのＰセルのためのＵＬ同期が外れたとき、それは、すべてのＵＥのセルのためのＵＬ同期が外れたことにはならない。したがって、Ｐセルでのランダムアクセスに加え、ＵＥはまた、任意のＵＬ伝送がＳセルで行われ得る前に、適切なＴＡを得るために、必要なときに、対応するＳセルでのランダムアクセスを実行すべきである。
【発明の概要】
【発明が解決しようとする課題】
【０００６】
複数のセルでランダムアクセスするＵＥの能力を考慮に入れると、３ＧＰＰの現在のＲ１０に従ってＰＤＣＣＨ指示情報およびランダムアクセスをＰセルに限定することは、不合理である。したがって、本発明は、ＵＥがランダムアクセスを実行し、ｅＮＢが対応する指示を与えるための、新しいソリューションを提案する。
【課題を解決するための手段】
【０００７】
本発明の第１の態様によれば、キャリア・アグリゲーション（ＣＡ）伝送に基づいたワイヤレス通信ネットワーク内のｅＮＢにおいて、ＵＥによって実行されるランダムアクセスを制御するための方法を提供し、方法は、ＵＥが、ＰセルおよびＳセル含むすべてのセルでＵＬ同期していないかどうかを判定するステップと、ＵＥがすべてのセルでＵＬ同期していない場合に、ＰＤＣＣＨ指示シグナリングを送信するステップであって、ＰＤＣＣＨ指示シグナリングがＵＥにランダムアクセスを実行するよう指示するために使用される、ステップとを含む。
【０００８】
本発明の第２の態様によれば、ＣＡ伝送に基づいたワイヤレス通信ネットワーク内の移動局における、ランダムアクセスのための方法を提供し、移動局が、Ｐセルおよび少なくとも１つのＳセルで構成されており、方法は、Ｐセルおよび少なくとも１つのＳセルを含むセルのうちの少なくとも１つのセルでランダムアクセスが必要であるかどうかを判定するステップと、セルのうちの少なくとも１つのセルでランダムアクセスが必要であると判定された場合に、すべてのセルのうちの少なくとも１つのセルでランダムアクセスを実行するステップとを含む。
【０００９】
本発明の第３の態様によれば、ＣＡ伝送に基づいたワイヤレス通信ネットワークのｅＮＢにおいて、ＵＥによって実行されるＲＲＣ再接続を制御するための方法を提供し、方法は、ＵＥからＳセルでのランダムアクセス手順を受信するステップと、ＵＥがＲＲＣ再接続を必要とするかどうかを判定するステップと、ＲＲＣ再接続が必要とされる場合に、ＲＲＣ再接続を開始する指示情報をＵＥに送信するステップとを含む。
【００１０】
本発明におけるソリューションにより、ＲＲＣ再接続の可能性を低減し、それにより、メモリの消去およびデータ欠損の確率を低減する。
【００１１】
添付の図面および以下の非限定的な実施形態の詳細な説明を参照して、本発明の他の特徴、目的、および利点が明らかになるであろう。
【図面の簡単な説明】
【００１２】
【図１】本発明の一実施形態のシステム流れ図である。
【発明を実施するための形態】
【００１３】
添付の図面の同じもしくは同様の参照符号が、同じもしくは同様のステップの特徴または装置／モジュールを指す。
【００１４】
図１は、本発明の一実施形態のシステム流れ図を示す。ここで、ｅＮＢ１およびＵＥ２の両方のデータおよびシグナリング伝送は、ＣＡ伝送に基づいている。
【００１５】
詳細な説明は、本発明の１つの実例からなる。実施形態において、ｅＮＢ１がＵＥ２のランダムアクセス手順をトリガするプロセスが説明される。
【００１６】
最初に、ステップＳ１０で、ｅＮＢ１は、ＵＥ２がすべてのセルでＵＬ同期していないかどうかを判定し、ここで、セルは、ＰセルおよびＳセルを含む。
【００１７】
具体的には、ｅＮＢ１は、各セルにおけるＵＥのＴＡ値、および対応するＴＡＴ（タイム・アドバンス・タイマー）の作動状態に従って、ＵＥがすべてのセルでＵＬ同期していないかどうかを判定する。加えて、ｅＮＢ１は、ＤＬデータがＵＥ２に到着しているかどうか、またはＳセルでＵＬ同期構成を開始するかどうかを判定する必要がある。ｅＮＢが、すべてのセルでＵＬ同期が外れており、ＤＬデータがＵＥ２に到着していると判定した場合、または、ｅＮＢが、すべてのセルでＵＬ同期が外れており、ＵＥ２のＳセルがＵＬ同期構成を開始する必要があると判定した場合に、ｅＮＢ１は、ＰＤＣＣＨ指示シグナリングをＵＥに送信する必要があると判定する。
【００１８】
次に、ステップＳ１１で、ＵＥ２がすべてのセルでＵＬ同期していない場合に、ｅＮＢ１は、ＰＤＣＣＨ指示シグナリングをＵＥ２に送信し、ここで、ＰＤＣＣＨ指示シグナリングは、ＵＥにランダムアクセスを実行するよう指示するために使用される。
【００１９】
特に、ｅＮＢ１とＵＥ２のセルでＵＬ同期する以下のケースを含む。
【００２０】
ケース１：
ｅＮＢ１が、ＵＥ２のＰセルがｅＮＢ１と同期しており、少なくとも１つのＳセル（すべてのＳセルを含む）がｅＮＢ１と同期していないと判定した場合、ＵＬフィードバック、たとえば、ＨＡＲＱ  ＡＣＫ／ＮＡＣＫフィードバックは、Ｐセルで伝送され得るので、ｅＮＢ１は、ＰＤＣＣＨ指示を送信する必要がない。
【００２１】
ケース２：
ｅＮＢ１が、少なくとも１つのＳセル（すべてのＳセルを含む）がｅＮＢ１と同期している一方で、ＵＥ２のＰセルはｅＮＢ１と同期していないと判定した場合、たとえば、ＰセルのＴＡＴの期限が切れ、他のＳセルのＴＡＴが作動している場合に、ｅＮＢ１は、ハンドオーバまたは非ハンドオーバを介してＰセルを変更し、次いで１つのＳセルを新しいＰセルとして選択することができる。
【００２２】
上のケースでは、ＰセルまたはＳセルに関わらず、ｅＮＢ１とＵＬ同期する１つのセルがあれば、ｅＮＢ１は、ＰＤＣＣＨ指示をＵＥ２に送信する必要がない。
【００２３】
ケース３：
すべてのセルがＵＬ同期していないときにのみ、たとえば、すべてのセルのＴＡＴの期限が切れており、ＤＬデータがＵＥ２に到着しているときにのみ、ｅＮＢ１は、ＵＬ同期を再開するためにＰＤＣＣＨ指示を送信する。ＰＤＣＣＨ指示は、任意のアクティブ化されたセルについて送信されてよい。
【００２４】
特に、ｅＮＢが、ＵＥ２のすべてのセルがｅＮＢ１とＵＬ同期していないと判定した場合に、ｅＮＢ１は、ｅＮＢの実装に従って、ＵＥ２が特定のセルでまたはすべてのセルでランダムアクセスを実行する必要があるかどうかを、さらに判定することができる。
【００２５】
ケースＡ：ｅＮＢ１が、ＵＥ２が特定のセルでランダムアクセスを実行する必要があると判定したとき、ｅＮＢ１は、ＰＤＣＣＨ指示シグナリングをＵＥ２に送信する。ここで、ＰＤＣＣＨ指示は、ＵＥに特定のセルでランダムアクセスを実行するよう指示するために使用される。
【００２６】
ＰＤＣＣＨ指示シグナリングは、ＵＥ２が特定のセルでランダムアクセスを実行するようトリガすることが認識される。当然ながら、ｅＮＢ１は、いくつかのＰＤＣＣＨ指示シグナリングをＵＥ２に送信することができ、ここで、各ＰＤＣＣＨ指示シグナリングは、ＵＥのランダムアクセスのための異なるセルを指示する。
【００２７】
特に、ｅＮＢ１は、少なくとも２つの手段を介して、ＵＥ２に特定のセルを指示することができる。
【００２８】
手段１：明示的な指示
ＵＥがランダムアクセスを実行するための特定のセルの指示情報は、ｅＮＢ１によってＵＥに送信されるＰＤＣＣＨ指示シグナリングのＣＩＦ（キャリア指示フィールド）に含まれていてよい。たとえば、ＣＩＦは、ＵＥ２に、Ｐセルでランダムアクセスを実行するよう指示する。または、ＣＩＦは、ＵＥ２に、特定のＳセルでランダムアクセスを実行するよう指示する。
【００２９】
手段２：暗黙的な指示
各ＵＬセル（またはＣＣ、すなわちコンポーネント・キャリア）は、ＤＬセル（またはＣＣ、すなわちコンポーネント・キャリア）に関連しているので、その関係が、システム情報ブロック２（ＳＩＢ２）に含まれる。指示情報がＰＤＣＣＨ指示シグナリングに明示的に含まれていないとき、ＰＤＣＣＨ指示シグナリングのキャリアが、ＵＥがランダムアクセスを実行するための特定のセルを指示するための暗黙的な指示を行うことができる。
【００３０】
ケースＢ：別のケースでは、ｅＮＢ１が、ＵＥ２がすべてのセルでランダムアクセスを実行する必要があると判定したとき、ｅＮＢ１は、ＰＤＣＣＨ指示シグナリングをＵＥに送信し、ここで、ＰＤＣＣＨ指示シグナリングは、ＵＥにすべてのセルでランダムアクセスを実行するよう指示するために使用される。
【００３１】
特に、ｅＮＢ１は、ＵＥ２がすべてのセルでランダムアクセスを実行するようトリガすることができる、ＰＤＣＣＨ指示シグナリングを送信することができる。または、ｅＮＢ１は、いくつかのＰＤＣＣＨ指示シグナリングを送信することができ、ここで、各ＰＤＣＣＨ指示シグナリングは、ＵＥ２が１つのセルでランダムアクセスを実行するようトリガすることができ、いくつかのＰＤＣＣＨ指示シグナリングが、ＵＥ２がすべてのセルでランダムアクセスを実行するようトリガする。
【００３２】
加えて、ＵＥに特定のセルでまたはすべてのセルでランダムアクセスを実行するよう指示する上のケースＡおよびＢでは、ｅＮＢ１によってＵＥ２に送信されたＰＤＣＣＨ指示シグナリングが、専用のランダムアクセス・プリアセンブルに従って、ＵＥ２にコンテンション・フリーのランダムアクセスを実行するよう指示するために、専用のランダムアクセス・プリアセンブルを含むことができる。ｅＮＢ１によってＵＥ２に送信されたＰＤＣＣＨ指示シグナリングが、専用のランダムアクセス・プリアセンブルを含まない場合、ＵＥ２は、コンテンション・ベースのランダムアクセスを実行する必要がある。
【００３３】
次に、ステップＳ１２で、ＵＥ２は、すべてのセルのうちの少なくとも１つのセルでランダムアクセスを実行するかどうかを判定し、ここで、すべてのセルは、Ｐセルおよび少なくとも１つのＳセルを含む。実施形態において、ＵＥ２は、既にｅＮＢ１からＰＤＣＣＨ指示シグナリングを受信しており、したがって、ＵＥ２は、すべてのセルのうちの少なくとも１つのセルでランダムアクセスを実行するよう判定する。当然ながら、ＵＥ２がすべてのセルのうちの少なくとも１つのセルでランダムアクセスを実行するかどうかを判定することはこれらに限定されず、以下の実施形態において、他の条件を説明することにする。
【００３４】
次に、ステップ１３で、必要であれば、ＵＥは、すべてのセルのうちの少なくとも１つのセルでランダムアクセスを実行する。
【００３５】
ケースＡ：特に、ｅＮＢ１からＵＥ２が受信したＰＤＣＣＨ指示が、ＵＥがランダムアクセスを実行するための特定のセルを指示する場合、ＵＥ２は、ＰＤＣＣＨ指示シグナリングによって指示された特定のセルでランダムアクセスを実行する。
【００３６】
特に、ＵＥがランダムアクセスを実行するための特定のセルを指示する、ｅＮＢ１からＵＥ２が受信したＰＤＣＣＨ指示は、ＵＥ２に特定のセルを指示するために、少なくとも２つの手段を含む。
【００３７】
手段１：明示的な指示
ｅＮＢ１によってＵＥ２に送信されたＰＤＣＣＨ指示シグナリングのＣＩＦが、ＵＥ２がランダムアクセスを実行するための特定のセルの指示情報を含む場合、ＵＥ２は、ＣＩＦによって指示された特定のセルでランダムアクセスを実行する。たとえば、ＣＩＦが、Ｐセルでランダムアクセスを実行するよう指示する場合、ＵＥ２は、Ｐセルでランダムアクセスを実行し、ＣＩＦが、特定のＳセルでランダムアクセスを実行するよう指示する場合、ＵＥ２は、特定のＳセルでランダムアクセスを実行する。
【００３８】
手段２：暗黙的な指示
各ＵＬセル（またはＣＣ、すなわちコンポーネント・キャリア）は、ＤＬセル（またはＣＣ、すなわちコンポーネント・キャリア）に関連しているので、その関係が、システム情報ブロック２に含まれる。ＵＥは、ＰＤＣＣＨおよびシステム情報ブロックにおける情報を伝送するＤＬセルに従って、ＰＤＣＣＨを伝送するＤＬセルに対応したＵＬセルを判定し、指示情報がＰＤＣＣＨ指示シグナリングに明示的に含まれていないとき、判定したＵＬセルでＲＡＣＨを実行することができる。
【００３９】
ケースＢ：ｅＮＢ１から受信したＰＤＣＣＨ指示シグナリングが、ＵＥ２にすべてのセルでランダムアクセスを実行するよう指示する場合に、ＵＥ２は、すべてのセルでランダムアクセスを実行する。
【００４０】
特に、ＵＥ２は、少なくとも２つの手段で、ランダムアクセスを実行することができる。
【００４１】
手段Ｂ１：連続的な手段では、ＵＥ２は、各セルで別々にランダムアクセスを実行し、たとえば、ＵＥ２は、最初にＰセルでランダムアクセスを実行し、Ｐセルでのランダムアクセスが失敗した場合に、Ｓセルでランダムアクセスを実行し、Ｓセルでのランダムアクセスが失敗した場合に、今度は、あるＳセルでランダムアクセスが成功するまで、またはすべてのランダムアクセスが失敗するまで、別のＳセルでランダムアクセスを実行する。
【００４２】
手段Ｂ２：並列的な手段では、ＵＥ２は、各セルで同時にランダムアクセスを実行する。各セルのキャリアが異なることが考慮に入れられ、したがって、ＵＥは、異なるキャリアで同時にランダムアクセスを実行することができる。
【００４３】
ケースＢの利点は、ＤＬデータが到着したときに、いくつかのランダムアクセス手順が各セルで実行され、ＲＲＣ再接続の確率が低減され、ＲＲＣ再接続はデータ欠損を意味し、したがって、いくつかのランダムアクセス手順は、データ欠損の確率を低減することへの助けになる。たとえば、ランダムアクセスがＰセルの代わりにＳセルで成功し、ランダムアクセスがＰセルで失敗したとき、ｅＮＢは、ＵＬ同期していないＰセルに代えて、ＵＬ同期するＳセルを選択するよう判定することができる。したがって、ＲＲＣ再接続を実行する、またはバッファを消去する必要がなく、バッファの消去は、データ欠損につながることになる。
【００４４】
その後、ランダムアクセスがすべてのセルのうちの少なくとも１つのセルで成功した場合、たとえば、ＵＥ２によって実行されたランダムアクセスがＳセルで成功した場合、ＵＥ２は、ｅＮＢ１とのＲＲＣ再接続を実行する必要がない。
【００４５】
別の実施形態において、ランダムアクセスがすべてのセルのうちの少なくとも１つのセルで成功した場合、たとえば、ＵＥ２によって実行されたランダムアクセスがＳセルで成功した場合、ＵＥ２は、ｅＮＢ１とのＲＲＣ再接続を実行する必要はなく、その後、ＵＥ２は、ランダムアクセスが成功したＳセルを新たなＰセルとして選択するよう指示する指示情報を、ｅＮＢから受信する。
【００４６】
別の状況で、すべてのセルでランダムアクセスが失敗した場合、ｅＮＢ１は、ＲＲＣ再接続の指示情報をＵＥ２に送信する。または、たとえば、ＵＥ２によって実行されたランダムアクセスが特定のＳセルで成功したが、なんらかのルールに従って、ｅＮＢ１が、ＵＥ２によって実行されるＲＲＣ再接続が必要であると判定した場合に、ｅＮＢからのＲＲＣ再接続の指示情報をＵＥ２が受信する。したがって、ステップＳ１４で、ＵＥ２は、ｅＮＢへのＲＲＣ再接続を実行する。
【００４７】
加えて、ケースＡおよびＢで、ｅＮＢ１によってＵＥ２に送信されたＰＤＣＣＨ指示シグナリングに専用のランダムアクセス・プリアンブルが含まれるとき、専用のランダムアクセス・プリアンブルに従って、ＵＥ２は、コンテンション・フリーのランダムアクセスを実行することができる。ＵＥが専用のランダムアクセス・プリアンブルを送信し、しかし、コンテンション・フリーのランダムアクセスが失敗した場合には、ＵＥ２は、コンテンション・ベースのランダムアクセスを実行することができる。コンテンション・ベースのランダムアクセスが再び失敗した場合、ＵＥは、ｅＮＢ１へのＲＲＣ再接続要求を開始する。あるいは、コンテンション・ベースのランダムアクセスが失敗した場合、ＵＥ２は、ＲＲＣ再接続を即座に開始することができる。
【００４８】
ｅＮＢ１によってＵＥ２に送信されたＰＤＣＣＨ指示シグナリングに専用のランダムアクセス・プリアンブルが含まれない場合、それは、ＵＥ２がコンテンション・ベースのランダムアクセスを実行する必要があることを指示する。
【００４９】
以上は、ｅＮＢ１によって送信されたＰＤＣＣＨ指示シグナリングをＵＥ２が受信したときに、ＵＥがランダムアクセスを実行するよう判定する手順の説明である。すなわち、上記の実施形態は、ｅＮＢによってトリガされる、ＵＥのランダムアクセス手順を説明している。以下では、ＵＥ２それ自体によってトリガされるランダムアクセス手順としても知られる、ＵＥがランダムアクセスを実行するかどうかを判定する他のいくつかの条件を説明することにする。
【００５０】
別の実施形態において、ステップＳ１２で、ｅＮＢへのスケジューリング要求の開始が失敗した場合に、ＵＥ２は、ランダムアクセスを実行するよう判定することができる。
【００５１】
特に、ＳＲ（スケジューリング要求）は、ＰセルのみについてＰＵＣＣＨ（物理アップリンク制御チャネル）で伝送するように構成されている。
【００５２】
最大数のスケジューリング要求が試され、失敗したときに、またはＰセルのいずれのＴＴＩ（トランスポート・タイム・インターバル）にもＰＵＣＣＨリソースが存在しないときに、ＵＥ２は、ランダムアクセス手順を実行することになる。
【００５３】
次いで、ステップＳ１３で、ＵＥ２は、Ｓセルでランダムアクセス手順を実行し、それにはすべてのセルでランダムアクセスを実行する方法を使用することができ、したがって、すべてのセルでランダムアクセスを実行する方法は、ｅＮＢが送信したＰＤＣＣＨ指示シグナリングによってトリガされるＵＥのランダムアクセスに類似しており、そのため、ここでは繰り返さないことにする。
【００５４】
別の実施形態において、ステップＳ１２で、ｅＮＢへのワイヤレス・リンクが失敗したときに、ＵＥ２は、ランダムアクセスを実行するよう判定することができる。
【００５５】
特に、ＲＬＭ（無線リンク管理）が、物理層でなんらかの問題を検出し、Ｔ３１１が期限切れした後でＲＲＣ再接続をトリガするとき、ＤＬ  ＲＬＦ（無線リンク障害）が発生する。
【００５６】
次いで、ステップＳ１３で、ＵＥ２は、Ｓセルでランダムアクセスを実行し、それにはすべてのセルでランダムアクセスを実行する方法を使用することができ、したがって、すべてのセルでランダムアクセスを実行する方法は、ｅＮＢが送信したＰＤＣＣＨ指示シグナリングによってトリガされるＵＥのランダムアクセスに類似しており、そのため、ここでは繰り返さないことにする。
【００５７】
加えて、別の実施形態において、ＵＥがすべてのセルでＵＬ同期しておらず、ＵＬデータがＵＥに到着しているとき、ＵＥ２は、ランダムアクセスを実行するよう判定する。
【００５８】
次いで、ステップＳ１３で、ＵＥ２は、Ｓセルでランダムアクセスを実行し、それにはすべてのセルでランダムアクセスを実行する方法を使用することができ、したがって、すべてのセルでランダムアクセスを実行する方法は、ｅＮＢが送信したＰＤＣＣＨ指示シグナリングによってトリガされるＵＥのランダムアクセスに類似しており、そのため、ここでは繰り返さないことにする。
【００５９】
すべてのセルでランダムアクセスを実行する利点は、各セルでのＰＲＡＣＨリソースは増加しない一方で、ランダムアクセスの機会が増加することである。加えて、それは、ＲＲＣ再接続によって引き起こされるデータ損失と比較して、ＳＲ障害からもしくはワイヤレス・リンク障害からより早く回復することができる、または、ＵＬ同期を再開して、ＵＬデータを適正に伝送することができる。
【００６０】
当業者は、明細書、公開内容、ならびに添付の図面および特許請求項の範囲における、さまざまな修正または変形を理解し、実行することができる。特許請求の範囲において、単語「ｃｏｍｐｒｉｓｅ（含む）」は、要素またはステップを排除せず、「ｏｎｅ（１つの）」は、複数形を排除しない。本発明の実際の応用では、コンポーネントが、特許請求の範囲において参照される技術的特徴のいくつかの機能を実装することができる。特許請求の範囲におけるいかなる添付の図面の符号も、関与する請求項を限定するものとして見られるべきではない。
【図１】
0005738473.tif 000002